(57)【要約】      （修正有）【課題】シリンダによるデッドボルトの駆動がよりスムーズになる面付錠を提供する。【解決手段】扉を施錠及び解錠するための面付錠であって、錠ケースと、前記錠ケースにヘッド部が出没可能に取り付けられるデッドボルトと、前記錠ケースに一部が露出するように取り付けられるシリンダ４と、前記シリンダに連動して回動するシリンダカム６と、前記デッドボルトと係合するデッドボルト作動機構５と、を備え、前記デッドボルト作動機構は、前記シリンダカムに連動して一定の角度まで回動すると、自動的に施錠または解錠するまで回動する、面付錠。【選択図】図５
0003235484.tif 000002
【実用新案登録請求の範囲】
【請求項１】
扉を施錠及び解錠するための面付錠であって、
錠ケースと、
前記錠ケースにヘッド部が出没可能に取り付けられるデッドボルトと、
前記錠ケースに一部が露出するように取り付けられるシリンダと、
前記シリンダに連動して回動するシリンダカムと、
前記デッドボルトと係合するデッドボルト作動機構と、を備え、
前記デッドボルト作動機構は、前記シリンダカムに連動して一定の角度まで回動すると、自動的に施錠または解錠するまで回動する
ことを特徴とする面付錠。
【請求項２】
請求項１に記載の面付錠であって、
前記デッドボルト作動機構は、作動カムと、前記作動カムに固定された作動ピンと、一端が前記錠ケースの蓋板に固定された支持ピンに掛けられ、他端が前記作動カムに固定された支持ピンに掛けられる作動ばねと、を備える
ことを特徴とする面付錠。
【請求項３】
請求項１または２に記載の面付錠であって、
前記デッドボルト作動機構の回動を係止する係止ピンは、前記シリンダに取り付けられる
ことを特徴とする面付錠。
【請求項４】
請求項２に記載の面付錠であって、
前記デッドボルト作動機構の作動カムは、前記シリンダに取り付けられる
ことを特徴とする面付錠。
【請求項５】
請求項２または４に記載の面付錠であって、
前記デッドボルト作動機構の作動カムは、前記シリンダの外周に沿う円弧形状の切欠部を有する
ことを特徴とする面付錠。
【請求項６】
請求項１〜５のいずれか一項に記載の面付錠であって、
前記シリンダカムは、前記シリンダの外周に沿う円弧形状の切欠部を有する
ことを特徴とする面付錠。
【請求項７】
請求項１〜６のいずれか一項に記載の面付錠であって、
前記デッドボルトは、出没方向に平行な案内溝と、前記デッドボルト作動機構と係合する、出没方向に垂直な作動溝と、を有する
ことを特徴とする面付錠。
【請求項８】
請求項１〜７のいずれか一項に記載の面付錠であって、
前記錠ケースの一方の面を覆う蓋板を備える蓋板ユニットを含み、
前記蓋板ユニットは、前記蓋板に前記デッドボルトを駆動する駆動部として前記シリンダ、前記デッドボルト作動機構及び前記シリンダカムが取り付けられている
ことを特徴とする面付錠。
【請求項９】
請求項１〜８のいずれか一項に記載の面付錠であって、
一方の面に開口を有する箱状のケース本体を備えるケース本体ユニットを含み、
前記ケース本体ユニットは、前記ケース本体に前記デッドボルトが取り付けられている
ことを特徴とする面付錠。
【考案の詳細な説明】
【技術分野】
【０００１】
本考案は、面付錠に関する。
【背景技術】
【０００２】
一般的に、面付錠はデッドボルトを備え、このデッドボルトが突出して扉枠に設けられた金具の受け孔に収まることで扉が施錠される。デッドボルトを備える錠として、例えば、「平面十文字型の平板を折り曲げて形成され且つ一側面に透孔が穿設された無底のケーシングと、前記ケーシングに装着されケーシング内部に突出する内筒の端部にカムが突設された錠と、ケーシング内腔と合致する大きさで且つ前記カムの移動を許す移動溝が穿設された基盤と、前記基盤上に載置されその一端に前記透孔からケーシング外へ突出できるヘッドを有し且つ一部にカムが突入して摺動できる摺動孔を穿設されたデッドボルトと、ケーシング内腔と合致する大きさで且つ前記デッドボルトを収容する凹溝を有するデッドボルトガイドと、ケーシングの開口部を閉鎖し且つ立ち上がり縁を有する底板とからなり、基盤及び底板がデッドボルトガイドに圧接するとともに、これら三者がケーシング内腔に接し、且つ、底板とケーシングとがネジによって相互に固定される」強度の高いデッドボルト装置が提案されている（特許文献１の請求項１を参照）。
【先行技術文献】
【特許文献】
【０００３】
【特許文献１】実開平６−７９９７３号公報
【考案の概要】
【考案が解決しようとする課題】
【０００４】
従来のデッドボルトを備える錠は、上記デッドボルト装置のようにシリンダに固定されたシリンダカムの端部がデッドボルトの係合部に係る構造、あるいは、このカムがピンや板バネを介してデッドボルトを押す構造であるので、デッドボルトの反力がほぼ直接このカムにかかるため、鍵を回すのに力が必要となり、スムーズに作動しないことがある。また、このカムとシリンダの当接部分が摩耗して切粉が出て、シリンダの作動に影響を与えたり、潤滑油が汚れ、不具合が起こったりすることがある。
【０００５】
本願考案は、上記課題の少なくとも一つを解決し、シリンダによるデッドボルトの駆動がよりスムーズになる面付錠を提供することを目的とする。
【課題を解決するための手段】
【０００６】
上述した少なくとも１つの課題を解決するために、本願考案の一方面に係る面付錠は、扉を施錠及び解錠するための面付錠であって、錠ケースと、前記錠ケースにヘッド部が出没可能に取り付けられるデッドボルトと、前記錠ケースに一部が露出するように取り付けられるシリンダと、前記シリンダに連動して回動するシリンダカムと、前記デッドボルトと係合するデッドボルト作動機構と、を備え、前記デッドボルト作動機構は、前記シリンダカムに連動して一定の角度まで回動すると、自動的に施錠または解錠するまで回動する。
【０００７】
上記面付錠において、前記デッドボルト作動機構は、作動カムと、前記作動カムに固定された作動ピンと、一端が前記錠ケースの蓋板に固定された支持ピンに掛けられ、他端が前記作動カムに固定された支持ピンに掛けられる作動ばねと、を備える。
【０００８】
上記面付錠において、前記デッドボルト作動機構の回動を係止する係止ピンは、前記シリンダに取り付けられる。
【０００９】
上記面付錠において、前記デッドボルト作動機構の作動カムは、前記シリンダに取り付けられる。
【００１０】
上記面付錠において、前記デッドボルト作動機構の作動カムは、前記シリンダの外周に沿う円弧形状の切欠部を有する。
【００１１】
上記面付錠において、前記シリンダカムは、前記シリンダの外周に沿う円弧形状の切欠部を有する。
【００１２】
上記面付錠において、前記デッドボルトは、出没方向に平行な案内溝と、前記デッドボルト作動機構と係合する、出没方向に垂直な作動溝と、を有する。
【００１３】
上記面付錠において、前記錠ケースの一方の面を覆う蓋板を備える蓋板ユニットを含み、前記蓋板ユニットは、前記蓋板に前記デッドボルトを駆動する駆動部として前記シリンダ、前記デッドボルト作動機構及び前記シリンダカムが取り付けられている。
【００１４】
上記面付錠において、一方の面に開口を有する箱状のケース本体を備えるケース本体ユニットを含み、前記ケース本体ユニットは、前記ケース本体に前記デッドボルトが取り付けられている。
【考案の効果】
【００１５】
本願考案によれば、シリンダによるデッドボルトの駆動がよりスムーズになる面付錠を提供することができる。
【００１６】
上記した以外の課題、構成及び効果は、以下の実施形態の説明により明らかにされる。
【図面の簡単な説明】
【００１７】
【図１】本願に係る面付錠の一例を示す外観図で、（ａ）正面図、（ｂ）左側面図である。
【図２】ケース本体ユニットを示す図で、（ａ）左側面図、（ｂ）正面図である。
【図３】デッドボルトの構成部材の正面図である。
【図４】蓋板とシリンダとの組立体を示す図で、（ａ）組立後の背面図、（ｂ）組立前の構成部材の右側面図である。
【図５】蓋板ユニットを示す図で、（ａ）組立後の背面図、（ｂ）組立前の構成部材の右側面図である。
【図６】デッドボルト作動機構の作動カムの背面図である。
【図７】デッドボルト作動機構の作動ばねの背面図である。
【図８】シリンダカムの背面図である。
【図９】シリンダの外筒の背面図である。
【図１０】デッドボルト作動機構の作動を示す図で、（ａ）シリンダカムに連動して回動する状態、（ｂ）自動的に施錠するまで回動する状態である。
【図１１】デッドボルト作動機構の作動ピンとデッドボルトの係合を示す図で、（ａ）解錠状態、（ｂ）施錠状態である。
【図１２】デッドボルト作動機構の作動を示す図で、（ａ）シリンダカムに連動して回動する状態、（ｂ）自動的に解錠するまで回動する状態である。
【考案を実施するための形態】
【００１８】
以下、本考案の実施形態の例について、図面を参照して説明する。なお、下記実施形態（及び変形例）において共通する構成要素については、前出の符号と同様な符号を付し説明を省略することがある。また、構成要素等の形状、位置関係等に言及する場合は、特に明示した場合及び原理的に明らかにそうでないと考えられる場合等を除き、実質的にその形状等に近似または類似するもの等を含むものとする。
【００１９】
図１は、本願に係る面付錠の一例を示す外観図で、（ａ）正面図、（ｂ）左側面図である。なお、各図において、Ｘは左右方向（水平方向、−Ｘが左方、＋Ｘが右方）、Ｙは上下方向（垂直方向、−Ｙが下方、＋Ｙが上方）、Ｚは前後方向（奥行方向、−Ｚが後方、＋Ｚが前方）を示している（図２以下において同じ）。
【００２０】
面付錠１００は、扉を施錠及び解錠するための錠装置である。なお、扉は、ここでは、家や部屋の出入口を開閉するものに限らず、棚や庫、箱等を開閉するもの等も広く含む。
【００２１】
面付錠１００は、錠ケースと、錠ケースにヘッド部３０が出没可能に取り付けられるデッドボルト３と、錠ケースに一部が露出するように取り付けられるシリンダ４とを備える。面付錠１００は、さらに、後述のように、錠ケース内に、シリンダ４に取り付けられ、シリンダ４に連動して回動するシリンダカム６と、デッドボルト３と係合するデッドボルト作動機構５と、を備え、デッドボルト作動機構５は、シリンダカム６に連動して一定の角度まで回動すると、自動的に施錠または解錠するまで回動する（図４以下を参照）。
【００２２】
錠ケースは、本体をなすケース本体１と、一方の面を覆う蓋板２とを含む。ケース本体１は、一方の面に開口を有する箱状である。一例として、ケース本体１は、背面側の矩形の底壁と、底壁の縁を囲う、左右壁及び上下壁を有する周壁とを備え、正面側が全面開放している。ケース本体１は、左壁、右壁、上壁、下壁のそれぞれに、蓋板２の板厚ほど切欠いた切欠き１０１を有する。ケース本体１は、例えば、板材を曲げ加工して形成される。
【００２３】
蓋板２は、ケース本体１の開口を閉じる板状部材である。一例として、蓋板２は、ケース本体１の正面全面を覆う。蓋板２は、ここでは、ケース本体１の底壁と略同大で、４つの角部にケース本体の壁厚ほど切欠いたＬ字状の切欠き２０１を有する。蓋板２は、一例として、ケース本体１と同じ板材で形成される。
【００２４】
蓋板２は、ねじ等（例えば皿小ねじ等）の締結部材９１によりケース本体１に着脱可能に締結される。具体的には、蓋板２には締結部材９１を通すための穴（例えば皿穴）２０２が設けられ（図４（ａ）を参照）、ケース本体１には底壁の対応する位置に貫通孔が設けられ柱部材１０２が固定される（図２（ｂ）を参照）。柱部材１０２は、内周面に締結部材９１と螺合するためのねじ山を有する。
【００２５】
面付錠１００は、蓋板２の４つの角部のそれぞれに貫通孔２０３が設けられ、ケース本体１の底壁の４つの角部の対応する位置にそれぞれ背面から貫通孔１０３が設けられて、背面から締結部材（不図示）により扉（不図示）に取り付けられる。
【００２６】
面付錠１００は、一例として、デッドボルトを駆動する駆動部を備える蓋板ユニット１００Ａと、デッドボルトを備えるケース本体ユニット１００Ｂとの２つのユニットを、締結部材９１により締結して構成される。蓋板ユニット１００Ａは、蓋板２にデッドボルトを駆動する駆動部としてシリンダ４、デッドボルト作動機構５及びシリンダカム６が取り付けられる。ケース本体ユニット１００Ｂは、ケース本体１にデッドボルト３が取り付けられる。このように構成することで、組立を簡素化することができ、駆動部の確認を容易に行えるようになる。説明の便宜上、以下では、まず、ケース本体ユニット１００Ｂについて説明する。
【００２７】
図２は、ケース本体ユニットを示す図で、（ａ）左側面図、（ｂ）正面図である。図３は、デッドボルトの構成部材の正面図である。
【００２８】
図３に示すように、一例として、デッドボルト３は、本体プレート３１に重ねプレート３２を重ねて構成される。本体プレート３１は、蓋板２よりも板厚で、矩形の大幅部３１１と、大幅部３１１より上下幅が小さい矩形の小幅部３１２とを有する。大幅部３１１と小幅部３１２の間には、ヘッド部３０の出没方向に垂直に延びる肩部３１３が形成される。本体プレート３１は、ケース本体１内に小幅部３１２が左方に向くように配置され、肩部３１３は大幅部３１１の左端をなしている。小幅部３１２は、４つの角部のそれぞれに貫通孔３１４が設けられる。
【００２９】
重ねプレート３２は、矩形で、好ましくは、本体プレート３１と同じ材料で形成される。重ねプレート３２は、小幅部３１２と同大で、小幅部３１２の貫通孔３１４と対応する貫通孔３２１が設けられ、筒状のピンでカシメ加工して小幅部３１２に締結される。デッドボルト３のヘッド部３０は、このように重ねプレート３２及び小幅部３１２の２枚のプレートで構成されるため、１枚のプレートの場合より強度が高くなる。
【００３０】
デッドボルト３は、大幅部３１１に、ヘッド部３０の出没方向（Ｘ方向）に平行に延びる案内溝３１５と、出没方向に垂直に延びる作動溝３１６とを有する。案内溝３１５及び作動溝３１６は、好ましくは、半円辺２つと長辺２つを有する角丸長方形で、大幅部３１１を板厚方向に貫通している。一例として、案内溝３１５は、作動溝３１６よりも下方に配置され、左端半円辺の円心が作動溝３１６の半円辺の円心と水平方向に同位置にある。案内溝３１５の長辺は、デッドボルトの出没作動距離と略同じ長さである。
【００３１】
図２（ａ）に示すように、ケース本体１は、左壁に矩形の貫通孔である角孔１０４を有する。角孔１０４は、ヘッド部３０の側面と同形状で、ヘッド部３０がスムーズに挿通し、肩部３１３がケース本体１の左壁に引っ掛かる大きさである。
【００３２】
図２（ｂ）に示すように、デッドボルト３は、一例として、水平方向の長さがケース本体１よりもケース本体１の壁厚分だけ小さく、ヘッド部３０がケース本体１内に没入する没入状態において、ヘッド部３０の左端面がケース本体１の左壁の外表面と略一致し、右端面が右壁の内表面に当接する。
【００３３】
ケース本体１は、底壁に、デッドボルト３の案内溝３１５と係合する（係り合う）案内ピン８が固定される。案内ピン８は、詳細な図示は省略するが、一例として、案内溝３１５の半円辺より直径がやや小さい円柱状部材で、外周面に輪状溝（外周面から凹入する輪状の溝）を有し、一端に細径部を有する。ケース本体１の底壁には、案内ピン８を取り付けるための貫通孔が設けられる。
【００３４】
一例として、ケース本体ユニット１００Ｂは、まず、ケース本体１に、デッドボルト３を、ヘッド部３０の左端近辺が角孔１０４に挿入し、背面が底壁の内表面と当接するように収容する。次に、案内ピン８を、細径部で案内溝３１５を通してからケース本体１の底壁に固定し、案内溝３１５から突出する外周面上の輪状溝に抜け防止の止め輪（例えばクリップ型止め輪等）（不図示）を取り付ける。ケース本体ユニット１００Ｂは、デッドボルト３を押すと、案内溝３１５内で案内ピン８が相対的に移動し、ヘッド部３０がケース本体１から出没するので、デッドボルト３の作動が確認できる。
【００３５】
図４は、蓋板とシリンダとの組立体を示す図で、（ａ）組立後の背面図、（ｂ）組立前の構成部材の右側面図である。図９は、シリンダの外筒の背面図である。
【００３６】
蓋板ユニット１００Ａ（図５（ａ）を参照）は、蓋板２、シリンダ４、デッドボルト作動機構５及びシリンダカム６の組立体であるが、ここでは、先ず、その中間組立体である蓋板とシリンダとの組立体を説明する。
【００３７】
図４（ｂ）に示すように、シリンダ４は、外筒４１と内筒４２とを有する。なお、シリンダ４について、図示の外筒４１及び内筒４２以外の構成、例えば、外ピン、内ピン等については、公知技術を適宜用いることができ、ここでは説明を省略する。
【００３８】
内筒４２は、本体部４２０の後端寄りの部分の外周面に輪状溝４２４が設けられ、輪状溝４２４を隔てて離隔部４２２が形成される。また、内筒４２は、離隔部４２２の後端に、離隔部４２２より外周が小さい末端部４２３を有する。末端部４２３は、背面視、２つの円弧辺及び２つの長辺を有する角丸長方形である（図４（ａ）を参照）。末端部４２３の両円弧辺間の最大幅は、離隔部４２２の直径より小さい。末端部４２３は、略中央ないしやや前端寄りの部分に輪状溝４２５が設けられる。末端部４２３は、この輪状溝４２５により前段部と後段部が形成される。内筒４２は、内側に鍵挿入孔４２１を有する。鍵挿入孔４２１は、図示のように内筒４２全体を前後方向に貫通してもよいし、背面側において、即ち末端部４２３の後端においてのみ閉鎖されてもよい。
【００３９】
外筒４１は、本体部４１０の後端に、本体部４１０より外周が小さい短筒状の小径部４１１を有する。外筒４１は、全体を前後方向（軸方向）に貫通する収容孔４１２を有し、この収容孔４１２に内筒４２が挿入され、回転可能に収容される。シリンダ４は、内筒４２を外筒４１に組み込んでから、外筒４１を締結部材９２により蓋板２に締結する。先に、締結部材９２により外筒４１を蓋板２に締結した後、内筒４２を外筒４１に組み込んでもよい。
【００４０】
図９に示すように、外筒４１は、本体部４１０の後端面に、４つの有底孔が設けられる。４つの有底孔は、小径部４１１と同心円である仮想円上に等間隔に配置され、外筒４１の中心を通る水平線Ａ及び垂直線Ｂに対して４５度の角度をなす。４つの有底孔のうち、水平線Ａに対して時計方向に４５度の位置の有底孔は係止ピン孔４１３で、係止ピン７が挿入され、固定される。残りの３つの有底孔は締結孔４１４で、内周面にねじ山が形成され、締結部材９２が螺合される。
【００４１】
図４（ｂ）に戻って説明ずると、係止ピン７は、好ましくは、突出高さが小径部４１１と略同高となるように、予め外筒４１に取り付けられる。詳細は後述するが、係止ピン７は、デッドボルト作動機構５の回動を係止するための部材である。係止ピン７をシリンダ４に対して位置決めし、取り付けることで、後述の作動カム５１及びシリンダカム６の位置合わせが簡単になる。
【００４２】
シリンダ４に対応して、蓋板２には、略中央に、小径部４１１を通すためのシリンダ孔２０４が設けられる。また、図示しないが、係止ピン孔４１３及び締結孔４１４と対応する４つの貫通孔が、シリンダ孔２０４の周りに、シリンダ孔２０４と同心円である仮想円上に等間隔に設けられる。なお、後述の各図において、締結部材９２及び締結孔４１４の図示は省略されることがある。
【００４３】
図４（ａ）に示すように、組立後、シリンダ４の小径部４１１、離隔部４２２及び末端部４２３は、蓋板２の背面から突出する（図５ｂも参照）。また、係止ピン７が蓋板２の背面から突出する。
【００４４】
図５は、蓋板ユニットを示す図で、（ａ）組立後の背面図、（ｂ）組立前の構成部材の右側面図である。図６はデッドボルト作動機構の作動カムの背面図、図７は作動ばねの背面図である。図８は、シリンダカムの背面図である。図１０は、デッドボルト作動機構の作動を示す図で、（ａ）シリンダカムに連動して回動する状態、（ｂ）自動的に施錠するまで回動する状態である。図１１はデッドボルト作動機構の作動ピンとデッドボルトの係合を示す図で、（ａ）解錠状態、（ｂ）施錠状態である。図１２は、デッドボルト作動機構の作動を示す図で、（ａ）シリンダカムに連動して回動する状態、（ｂ）自動的に解錠まで回動する状態である。
【００４５】
蓋板ユニット１００Ａは、前述の蓋板とシリンダとの組立体に、さらに、デッドボルト作動機構５及びシリンダカム６を取り付けた組立体である。
【００４６】
デッドボルト作動機構５は、デッドボルト３、より具体的にはデッドボルト３の作動溝３１６と係合して（作動溝３１６内で相対移動して）、デッドボルト３を出没作動させる機構である。デッドボルト作動機構５は、作動カム５１と、作動カム５１に固定される作動ピン５３と、一端が蓋板２に固定される第１支持ピン５４に掛けられ、他端が作動カム５１に固定される第２支持ピン５５に掛けられる作動ばね５２と、を備える。
【００４７】
図６（ａ）に示すように、作動カム５１は、中央にシリンダ４の小径部４１１と篏合するための篏合部５１０を有する。篏合部５１０の内周は、作動カム５１がスムーズに回動できるように小径部４１１の外周よりやや大きくなっている。作動カム５１の篏合部５１０を囲う部分は、基部５１１と、切欠部５１２と、凸部５１３からなる。図６（ｂ）において仮想円Ｃを用いて示すように、切欠部５１２は、円環状の基部５１１の一部が篏合部５１０の内周、言い換えればシリンダ４の外周に沿う円弧形状に切欠いて形成され、凸部５１３は、基部５１１の一部から半径方向に膨出して形成されているとも言える。
【００４８】
切欠部５１２は、一端の施錠端５１４が施錠状態で係止ピン７と当接する端で、他端の解錠端５１５が解錠状態で係止ピン７と当接する端である。図６では、作動カム５１は施錠状態まで回動した状態で示されている。一例として、この状態では、図６（ｂ）に示すように、施錠端５１４は、篏合部５１０の中心Ｏ（シリンダ４の中心Ｏ）を通る垂直線Ｂに対する（係止ピン７の半径分を引いた）実質的角度αが４５度となる位置にあり、解錠端５１５は、垂直線Ｂに対する（係止ピン７の半径分を引いた）実質的な角度βが６５度となる位置にある。言い換えれば、切欠部５１２の実質的な中心角は１１０度であり、施錠時及び解錠時に作動カム５１はそれぞれ１１０度回動する。
【００４９】
凸部５１３には、デッドボルト３の作動溝３１６と係合する作動ピン５３を固定するための円孔５１６と、第２支持ピン５５を固定するための円孔５１７が設けられる。円孔５１６は、中心が仮想円Ｃの内側にあるように設けられ、中心Ｏとの距離が、係止ピン７と中心Ｏとの距離と同値ないし近似値である。円孔５１７は、中心が仮想円Ｃの外側にあるように設けられる。また、円孔５１６は、中心が篏合部５１０の中心Ｏを通る水平線Ａ上にあり、円孔５１７は、中心が水平線Ａに対して反時計方向に角度θを成す位置にある。角度θは例えば３５度である。
【００５０】
図５（ｂ）に示すように、作動カム５１には予め作動ピン５３及び第２支持ピン５５が組み立てられて固定される。作動ピン５３は、円柱状の部材で、一端の細径部を円孔５１６に挿入して固定される。
【００５１】
図１１に示すように、作動ピン５３は、デッドボルト３の作動溝３１６に挿入し、作動溝３１６と係り合いながら、作動カム５１の回動に伴って回動することでデッドボルト３を出没作動させる。作動ピン５３は、解錠状態では図１１（ａ）に示すように作動溝３１６の上端に当接し、施錠状態では図１１（ｂ）に示すように作動溝３１６の下端に当接する。
【００５２】
図７に示すように、作動ばね５２は、く字状のトーションばねで、中央部５２０と、ループ状の両端を有する。ここでは、蓋板２に固定される第１支持ピン５４に掛ける一端を第１端５２１とし、作動カム５１に固定される第２支持ピン５５に掛ける他端を第２端５２２とする。
【００５３】
図５（ｂ）に示すように、第１支持ピン５４と第２支持ピン５５は同様な部材であるので、ここでは、第１支持ピン５４を例に説明する。第１支持ピン５４は、作動ばね５２が掛けられる本体部５４１を有し、一端の細径部５４２を蓋板２の円孔２０５（図４（ａ）を参照）に挿入して固定される。第１支持ピン５４は、本体部５４１に抜け防止のための止め輪（不図示）を取り付けるための輪状溝５４４を有し、本体部５４１と細径部５４２との間に蓋板２への作動ばね５２の配置高さを調整するための、本体部５４１より太い台座部５４３を有する。図５（ａ）に示すように、第１支持ピン５４は、蓋板２において垂直線Ｂ上に固定される。
【００５４】
図８（ａ）に示すように、シリンダカム６は、シリンダ４、より具体的には内筒４２に連動して回動するカムで、中央に、シリンダ４の末端部４２３と篏合するための篏合部６０を有する。篏合部６０の内周は末端部４２３と略同大同形状（角丸長方形）である。シリンダカム６の篏合部６０を囲う部分は、基部６１と、切欠部６２からなる。図８（ｂ）において仮想円Ｃを用いて示すように、切欠部６２は、シリンダ４の外周に沿う円弧形状に切欠いて形成されているとも言える。仮想円Ｃは、前述の作動カム５１の基部５１１の仮想円Ｃと同大である。
【００５５】
切欠部６２は、一端の施錠端６２１が施錠状態で作動ピン５３と当接する端で、他端の解錠端６２２が解錠状態で作動ピン５３と当接する端である。図８では、シリンダカム６は施錠状態まで回動した姿勢で示されている。一例として、この状態では、図８（ｂ）に示すように、切欠部６２の施錠端６２１は、篏合部６０の中心Ｏを通る垂直線Ｂに対する（作動ピン５３の半径分を引いた）実質的な角度γ１が９０度となる位置にあり、解錠端６２２は、垂直線Ｂに対する（作動ピン５３の半径分を引いた）実質的な角度γ２が１６０度となる位置にある。すなわち、施錠時及び解錠時にシリンダカム６は、作動ピン５３を押動するために先ず２５０度回動する。言い換えれば、面付錠１００は、ここでは、シリンダ４の内筒４２の回転角が３６０度で、施錠時及び解錠時に鍵が抜けるタイプである。
【００５６】
図５（ｂ）に戻って組立について説明すると、まず、作動ピン５３及び第２支持ピン５５を備えた作動カム５１を、蓋板２の背面から突出するシリンダ４の外筒４１の小径部４１１に嵌めて取り付け、抜け防止の止め輪（不図示）を内筒４２の輪状溝４２４に取り付ける。
【００５７】
次に、作動ばね５２を、第１端５２１を予め蓋板２に固定された第１支持ピン５４の本体部５４１に掛け、抜け防止の止め輪（不図示）を輪状溝５４４に取り付ける。同様に、第２端５２２を作動カム５１に固定された第２支持ピン５５に掛け、抜け防止の止め輪（不図示）を輪状溝に取り付ける。なお、作動ばね５２は、第２端５２２を先に取り付けてもよい。作動ばね５２は、両端間距離ないし角度が所定値狭まる状態に取り付けられ、作動カム５１は係止ピン７に係止される方向に付勢される。作動ばね５２の第１端５２１は垂直線Ｂ上にある。作動ばね５２は、作動カム５１の動きに伴って、第１端５２１を支点として回動し、第２端５２２の位置が変位可能である。
【００５８】
次に、シリンダカム６を、シリンダ４の内筒４２の離隔部４２２の後端面に当接するように末端部４２３の前段部に嵌めて取り付け、抜け防止の止め輪（不図示）を輪状溝４２５に取り付ける。なお、先に、シリンダカム６を取り付けた後、作動ばね５２を取付けてもよい。
【００５９】
このように、蓋板２にシリンダ４を取り付け、シリンダ４に作動カム５１及びシリンダカム６を取り付け、作動ばね５２を作動カム５１及び蓋板２に掛ければ、蓋板ユニット１００Ａの組立が完了し、これをケース本体ユニット１００Ｂに締結すれば、全体の組立が完了するので、面付錠１００は、組立作業が簡素化している。また、デッドボルト３の駆動部が全て蓋板２に組み立てられて、蓋板ユニット１００Ａの状態で容易に駆動部の確認ができるようになる。
【００６０】
さらに、面付錠１００は、上記のように構成することで、係止ピン７に対して、作動カム５１やシリンダカム６の位置を設定し、鍵が容易に抜き差しできるように調整と確認作業を同時にできるようになる。
【００６１】
以下では、デッドボルト３を駆動する駆動部の動作について説明する。駆動部は、鍵（不図示）を鍵挿入孔４２１に挿入して内筒４２を回すことにより始動する。鍵挿入孔４２１への鍵の抜き差しは、鍵挿入孔４２１が垂直線Ｂ上であって水平線Ａの下方にある場合（以下「抜差位置」と称する）（鍵挿入孔４２１の図４（ａ）における位置、図５（ａ）における実線位置、図１０（ｂ）における破線位置、図１２（ｂ）における破線位置を参照）にのみ可能である。
【００６２】
例えば、図５（ａ）の作動カム５１の解錠状態では、作動カム５１は、解錠端５１５が係止ピン７に当接し、作動ばね５２によりこの解錠状態が保持される（なお、図１１（ａ）に示すように、この状態では、デッドボルト３は、作動溝３１６の上端の解錠端に作動ピン５３が当接する没入状態（解錠状態）にある）。このとき、シリンダカム６は、解錠端６２２が作動ピン５３に当接し押しても作動ピン５３が動かない解錠状態にある。シリンダカム６の解錠端６２２が作動ピン５３に当接している状態では、鍵挿入孔４２１が抜差位置にあるので、鍵を抜き差しすることができる。なお、鍵を挿入し内筒４２を時計方向（図示の矢印方向）に回して、シリンダカム６の施錠端６２１を作動ピン５３に当接させることもできるが、力を加えて作動ピン５３を押さない限り、作動カム５１の解錠状態は変わらない。
【００６３】
一方、鍵を挿入し内筒４２を時計方向に回して、シリンダカム６を破線で示す位置まで回し、作動ばね５２に抗する力を加えて施錠端６２１で作動ピン５３を押すと、作動カム５１が回動し、作動ばね５２が第２端５２２が第１端５２１に接近して両端間距離が狭まる。
【００６４】
図１０（ａ）は、デッドボルト作動機構５がシリンダカム６に連動して回動する状態であって、作動ばね５２の第２端５２２が第１端５２１に最も接近している状態を示す図である。このとき、第１端５２１だけでなく、第２端５２２も垂直線Ｂ上にある。この状態を超えると、作動ばね５２は、両端間距離が広がり、やがてシリンダカム６を回さなくても、作動ばね５２の弾性力により作動カム５１が自動的に時計方向に回るようになる。このように、デッドボルト作動機構５は、シリンダカム６に連動して一定の角度まで回動すると、自動的に回動する。
【００６５】
図１０（ｂ）は、デッドボルト作動機構５が自動的に施錠するまで回動する状態を示す図である。図示では、作動カム５１は、シリンダカム６が作動ピン５３を押さなくても、自動的に施錠状態まで回動している。すなわち、作動カム５１は、図示の実線で示す実際のシリンダカム６の施錠端６２１の位置から、破線で示す仮想の施錠端６２１の位置までの距離だけ、自動的に（自力で）回動している（なお、図１１（ｂ）に示すように、この状態では、デッドボルト３は、作動ピン５３が作動溝３１６の下端の施錠端と当接する突出状態（施錠状態）にある）。鍵を抜き差しするには、シリンダカム６を破線で示す施錠端６２１が作動ピン５３に当接する状態まで回す必要があるが、作動カム５１及びデッドボルト３がすでに施錠状態にあるので、力を掛けずに回すだけで済む。なお、鍵を挿入し内筒４２を反時計方向に回して、シリンダカム６の解錠端６２２を作動ピン５３に当接させることもできるが、力を加えて作動ピン５３を押さない限り、作動カム５１の施錠状態は変わらない。
【００６６】
一方、鍵を挿入し内筒４２を反時計方向に回して、シリンダカム６の解錠端６２２を作動ピン５３に当接させ、作動ばね５２に抗する力を加えて解錠端６２２で作動ピン５３を押すと、作動カム５１が回動し、作動ばね５２が第２端５２２が第１端５２１に接近して両端間距離が狭まる。図１２（ａ）は、デッドボルト作動機構５がシリンダカム６に連動して回動する状態であって、作動ばね５２の第２端５２２が第１端５２１に最も接近している状態を示す図である。この状態を超えると、作動ばね５２は、両端間距離が広がり、やがてシリンダカム６を回さなくても、作動ばね５２の弾性力により作動カム５１が自動的に反時計方向に回るようになる。
【００６７】
図１２（ｂ）は、デッドボルト作動機構５が自動的に解錠するまで回動する状態を示す図である。作動カム５１は、図示の実線で示す実際のシリンダカム６の解錠端６２２の位置から、破線で示す仮想の解錠端６２２の位置までの距離だけ、自動的に（自力で）回動している。鍵を抜き差しするには、シリンダカム６を破線で示す解錠端６２２が作動ピン５３に当接する状態まで回す必要があるが、作動カム５１及びデッドボルト３がすでに解錠状態にあるので、力を掛けずに回すだけで済む。
【００６８】
面付錠１００は、駆動部を上記のように構成することで、鍵の操作により外筒４１に対して内筒４２を回転する際の負荷を低減し、シリンダ４によるデッドボルト３の駆動がよりスムーズになる。これにより、シリンダ４の寿命が延びるとともに、部材間の摩耗等のトラブルも減少する。
【００６９】
なお、本考案に係る面付錠１００は、試作品で施錠と解錠を１セット（１回）として耐久検査を行った結果、問題なく１０万回以上の回転運動ができている。
【００７０】
上記ケース本体１や蓋板２、デッドボルト３、作動カム５１、シリンダカム６、各種ピン部材、柱部材には、一例としてステンレス鋼が用いられる。シリンダ４には、一例として黄銅が用いられる。作動ばね５２には、一例としてピアノ線が用いられる。
【００７１】
以上、本考案に係る面付錠の実施形態について説明したが、これらは本考案の一例に過ぎず、本考案はこれらに限定されない。本考案には、以上の各実施形態やその変形例を組み合わせた形態や、さらに様々な変形例が含まれる。請求の範囲に規定された内容及びその均等物から導き出される本考案の概念的な思想と趣旨を逸脱しない範囲で種々の追加、変更及び部分的削除が可能である。
【符号の説明】
【００７２】
１        ケース本体
２        蓋板
３        デッドボルト
４        シリンダ
４１      外筒
４２      内筒
５        デッドボルト作動機構
５１      作動カム
５２      作動ばね
５３      作動ピン
５４      第１支持ピン
５５      第２支持ピン
６        シリンダカム
７        係止ピン
８        案内ピン
１００    面付錠
【図１】
0003235484.tif 000003
【図２】
0003235484.tif 000004
【図３】
0003235484.tif 000005
【図４】
0003235484.tif 000006
【図５】
0003235484.tif 000007
【図６】
0003235484.tif 000008
【図７】
0003235484.tif 000009
【図８】
0003235484.tif 000010
【図９】
0003235484.tif 000011
【図１０】
0003235484.tif 000012
【図１１】
0003235484.tif 000013
【図１２】
0003235484.tif 000014